(57)【要約】【課題】安定したローラスケート動作及びその制動動作を得ることが可能であり、初心者であってもローラスケート動作を極めて容易に習得することのできるローラシューズを提供する。【解決手段】シューズの幅方向に伸長する第１及び第２の軸線をそれぞれ回転中心として互いに並列に配列され一部がシューズの底面から突出している第１及び第２のローラと、シューズの幅方向に伸長し第１及び第２の軸線に対してシューズの前方又は後方に存在する第３の軸線を回転中心とし、一部がシューズの底面から突出している第３のローラとを備えており、第１及び第２のローラ及び第３のローラが、シューズのかかと部に設けられている。【選択図】図１
2011234983.tif 000002
【特許請求の範囲】
【請求項１】
シューズの幅方向に伸長する第１及び第２の軸線をそれぞれ回転中心として互いに並列に配列され一部が該シューズの底面から突出している第１及び第２のローラと、前記シューズの幅方向に伸長し前記第１及び第２の軸線に対して該シューズの前方又は後方に存在する第３の軸線を回転中心とし、一部が該シューズの底面から突出している第３のローラとを備えており、前記第１及び第２のローラ及び前記第３のローラが、該シューズのかかと部に設けられていることを特徴とするローラシューズ。
【請求項２】
前記第１及び第２の軸線が、前記第３の軸線より該シューズの後方に存在していることを特徴とする請求項１に記載のローラシューズ。
【請求項３】
前記第１及び第２の軸線が、前記第３の軸線より該シューズの前方に存在していることを特徴とする請求項１に記載のローラシューズ。
【請求項４】
前記第１及び第２の軸線が、前記シューズの底面と平行な連続する単一の直線からなることを特徴とする請求項１から３のいずれか１項に記載のローラシューズ。
【請求項５】
前記第１及び第２の軸線が、前記シューズの底面と非平行な互いに非連続の２つの直線からなり、該２つの直線のなす上側角が１８０°未満であることを特徴とする請求項１から３のいずれか１項に記載のローラシューズ。
【請求項６】
前記第１及び第２のローラの各々は、内側の径と外側の径とが等しい円筒形状を有していることを特徴とする請求項１から５のいずれか１項に記載のローラシューズ。
【請求項７】
前記第１及び第２のローラの各々は、内側の径が外側の径より小さい円錐台形状を有していることを特徴とする請求項１から５のいずれか１項に記載のローラシューズ。
【発明の詳細な説明】
【技術分野】
【０００１】
本発明は、底面に複数のローラが取付けられたローラシューズに関する。
【背景技術】
【０００２】
この種のローラシューズの公知技術として、特許文献１には、ソールのかかと部分に第１開口部及び第２開口部を前後方向に並べて設け、これら第１開口部及び第２開口部の中に第１ホイール及び第２ホイールをそれぞれ設けることにより、ホイールのみが地面の表面に接して行われるヒーリング動作（ローラスケート動作）を、初心者や年少者であっても容易に行うことを可能にしようとするマルチホイール型ヒーリング装置が開示されている。
【０００３】
また、特許文献２には、シューズ本体のかかと部に、シューズ本体の幅方向に伸びた１つのローラ軸に並列状に支持された複数のローラを備え、シューズ本体のつま先部に少なくとも１つのローラを備え、これにより、通常の歩行にも使用でき、安定姿勢でローラスケートを可能にしようとするローラ付シューズが開示されている。
【先行技術文献】
【特許文献】
【０００４】
【特許文献１】特表２００５−５１６６５１号公報
【特許文献２】実用新案登録第３１０３０８６号公報
【発明の概要】
【発明が解決しようとする課題】
【０００５】
しかしながら、特許文献１に開示されているごとき従来のローラシューズによると、シューズ本体の幅方向には１輪のローラしか存在しないため、横方向の姿勢が安定せず、主たるユーザである年少者や初心者が安心してローラスケート動作を行うには不安があった。
【０００６】
また、特許文献２に開示されているごときローラシューズによると、シューズ本体の幅方向に複数輪のローラが存在するため、横方向姿勢の安定性は得られるが、かかと部にはシューズ本体の前後方向に１列のローラしか存在しないため、つま先部とかかと部とのバランスが難しく、通常の歩行動作からローラスケート動作に入る際に前後方向の姿勢が安定せず、初心者がローラスケート動作を習得することは容易ではなかった。また、つま先部にもローラが存在するため、ローラスケート動作時の制動が難しいという問題もあった。
【０００７】
従って本発明の目的は、安定したローラスケート動作及びその制動動作を得ることが可能であり、初心者であってもローラスケート動作を極めて容易に習得することのできるローラシューズを提供することにある。
【課題を解決するための手段】
【０００８】
本発明によれば、シューズの幅方向に伸長する第１及び第２の軸線をそれぞれ回転中心として互いに並列に配列され一部がシューズの底面から突出している第１及び第２のローラと、シューズの幅方向に伸長し第１及び第２の軸線に対してシューズの前方又は後方に存在する第３の軸線を回転中心とし、一部がシューズの底面から突出している第３のローラとを備えており、第１及び第２のローラ及び第３のローラが、シューズのかかと部に設けられているローラシューズが提供される。
【０００９】
横方向に並列に配置された第１及び第２のローラと、その前後に配置された第３のローラとが、共にシューズのかかと部に設けられている。このため、つま先を上げずにパラレルの状態でローラスケート動作が可能となり、かかと部分や足首の部分に全身の力が集中するなどして無理な力が印加されることなく、容易にローラスケート動作に入ることができる。従って、かかと部分や足首の部分に傷害を与えることなく、初心者であってもローラスケート動作を極めて容易に習得することができる。しかも、ローラがかかと部のみに設けられているため、つま先部で制動動作を容易に行うことができるから、安全である。もちろん、三輪であるため、直進安定性に優れており、安定したローラスケート動作を行うことができると共に長時間の使用に適している。
【００１０】
第１及び第２の軸線が、第３の軸線よりシューズの後方に存在していることが好ましい。
【００１１】
第１及び第２の軸線が、第３の軸線よりシューズの前方に存在していることも好ましい。
【００１２】
第１及び第２の軸線が、シューズの底面と平行な連続する単一の直線からなることも好ましい。
【００１３】
第１及び第２の軸線が、シューズの底面と非平行な互いに非連続の２つの直線からなり、２つの直線のなす上側角が１８０°未満であることも好ましい。
【００１４】
第１及び第２のローラの各々は、内側の径と外側の径とが等しい円筒形状を有していることも好ましい。
【００１５】
第１及び第２のローラの各々は、内側の径が外側の径より小さい円錐台形状を有していることも好ましい。第１及び第２のローラをこのような形状とすることにより、両ローラの間に小石が挟まってしまう不都合を防止できる。
【発明の効果】
【００１６】
本発明によれば、つま先を上げずにパラレルの状態でローラスケート動作が可能となり、かかと部分や足首の部分に全身の力が集中するなどして無理な力が印加されることなく、容易にローラスケート動作に入ることができる。従って、かかと部分や足首の部分に傷害を与えることなく、初心者であってもローラスケート動作を極めて容易に習得することができる。しかも、ローラがかかと部のみに設けられているため、つま先部で制動動作を容易に行うことができるから、安全である。もちろん、三輪であるため、直進安定性に優れており、安定したローラスケート動作を行うことができると共に長時間の使用に適している。
【図面の簡単な説明】
【００１７】
【図１】本発明のローラシューズの一実施形態の構成を概略的に示す底面図及び側面図である。
【図２】図１の実施形態のローラシューズにおけるローラ部分の一変更態様を示す底面図である。
【図３】図１の実施形態のローラシューズにおけるローラ部分の他の変更態様を示す分解斜視図である。
【図４】本発明のローラシューズの他の実施形態の構成を概略的に示す底面図及び側面図である。
【図５】図４の実施形態のローラシューズにおけるローラ部分を示す底面図である。
【図６】本発明のローラシューズのさらに他の実施形態の構成を概略的に示す底面図及び側面図である。
【発明を実施するための形態】
【００１８】
図１は本発明のローラシューズの一実施形態の構成を概略的に示す（Ａ）底面図及び（Ｂ）側面図である。
【００１９】
同図（Ａ）及び（Ｂ）に示すように、ローラシューズの底面は、大きく分けて、かかと部１０と、土踏まず部１１と、つま先部１２とから構成されている。
【００２０】
かかと部１０には、凹部１３が形成されており、この凹部１３内に例えば硬質プラスチック等の剛性の高い材料で一体成型されたローラ支持部材１４が嵌め込まれて固着されている。このローラ支持部材１４には、ホイールの外側部分が例えば軟質プラスチックやゴム等の弾性を有する材料で形成され、回転軸を含むホイールの内側部分が例えば硬質プラスチック等の剛性を有する材料で形成された、第１のローラ１５、第２のローラ１６及び第３のローラ１７が着脱自在に取付けられている。ここで、第１のローラ１５及び第２のローラ１６は、このローラシューズの幅方向（横方向）に並列に配置されており、第３のローラ１７はこれら第１のローラ１５及び第２のローラ１６の前方に配置されている。このように、本実施形態では、前方に一輪の第３のローラ１７、後方に二輪の第１のローラ１５及び第２のローラ１６からなる三輪のローラが、全てかかと部１０に設けられている。なお、第１のローラ１５、第２のローラ１６及び第３のローラ１７の積層構造や構成材料は上述した例に限定されるものではない。
【００２１】
これら第１のローラ１５、第２のローラ１６及び第３のローラ１７には、軸方向に沿った径（内側の径と外側の径と）が等しい円筒形状を有するホイール１５ａ、１６ａ及び１７ａが設けられている。また、図１（Ｂ）からも分かるように、これら第１のローラ１５、第２のローラ１６及び第３のローラ１７は、そのホイール１５ａ、１６ａ及び１７ａの一部が底面より突出するように構成されている。
【００２２】
ローラ支持部材１４は、第１のローラ１５のホイール１５ａを回転自在に受入れるくぼみ１４ａ１と、第１のローラ１５のこのホイール１５ａと一体的に形成された回転軸１５ｂの軸受け１４ｂ１と、第２のローラ１６のホイール１６ａを回転自在に受入れるくぼみ１４ａ２と、第２のローラ１６のこのホイール１６ａと一体的に形成された回転軸１６ｂの軸受け１４ｂ２と、第３のローラ１７のホイール１７ａを回転自在に受入れるくぼみ１４ａ３と、第３のローラ１７のこのホイール１７ａと一体的に形成された回転軸１７ｂの軸受け１４ｂ３とが形成されている。
【００２３】
なお、図示されていないが、ローラ支持部材１４には、回転軸のロック機構が設けられている。このロック機構は、第１のローラ１５の回転軸１５ｂ、第２のローラ１６の回転軸１６ｂ及び第３のローラ１７の回転軸１７ｂを軸受け１４ｂ１、軸受け１４ｂ２及び軸受け１４ｂ３にそれぞれ係合させた後、これら回転軸が外れないようにロックするためのものである。
【００２４】
軸受け１４ｂ１及び１４ｂ２は、本実施形態では、第１のローラ１５の回転軸１５ｂ及び第２のローラ１６の回転軸１６ｂが、従ってそれらの回転中心である軸線が、ローラシューズの幅方向に伸長し底面と平行な連続する単一の直線となるように配置されている。即ち、第１のローラ１５のホイール１５ａ及び第２のローラ１６のホイール１６ａの接地面が底面と平行となるように構成されている。また、軸受け１４ｂ３は、第３のローラ１７の回転軸１７ｂが、従ってその回転中心である軸線が、ローラシューズの幅方向に伸長し回転軸１５ａ及び１６ａの軸線と平行な直線となるように配置されている。
【００２５】
なお、第１のローラ１５、第２のローラ１６及び第３のローラ１７の全てを取り外せば、通常のシューズとして使用でき、第３のローラ１７のみを取り外せば、二輪のローラシューズとして使用することができる。
【００２６】
このように本実施形態では、前方の第３のローラ１７、並びに後方の第１のローラ１５及び第２のローラ１６からなる三輪のローラが設けられているため、直進安定性に優れており、前後左右のバランスを容易に保つことができ、安定したローラスケート動作を行うことができる。即ち、フィギュアスケートの滑り感を得ることができ、バックヒーリング、ターンブレーキ、スラローム、ヒーリングスイッチ、片足走行、惰性走行、ハーフパイプ、ジャンプ等の技を容易に行うことが可能である。また、三輪ゆえに接地面積が大きく安定性がより向上するのみならず、本実施形態のように三輪のローラを別個に回転可能な構成とすれば、ローラスケート動作のコントロールがより簡単に行え、安全性が高くなる。
【００２７】
特に、これら三輪のローラがかかと部１０に設けられているため、ローラスケート動作時には、かかとに重心を集中させ、つま先を上げずにパラレルの状態でローラスケート動作が可能となる。従って、かかと部分や足首の部分に全身の力が集中するなどして無理な力が印加されることなく、長時間の使用に適している。しかも、容易にローラスケート動作に入ることができるので、かかと部分や足首の部分に傷害を与えることなく、初心者であってもローラスケート動作を極めて容易にかつ短時間で習得することができる。しかも、ローラがかかと部のみに設けられているため、つま先部で制動動作を容易に行うことができるから、安全である。
【００２８】
なお、本実施形態では、第１のローラ１５の回転軸１５ｂ（その軸線）と第２のローラ１６の回転軸１６ｂ（その軸線）とが底面と平行な連続する単一の直線となるように構成されているが、これら回転軸１５ｂ及び１６ｂ（その軸線）を、それぞれ、ローラシューズの底面と非平行な互いに非連続の２つの直線となり、これら２つの直線のなす上側角が１８０°未満となるように構成しても、即ち、第１のローラ１５のホイール１５ａ及び第２のローラ１６のホイール１６ａの接地面が底面と平行ではなく外側に傾いた「ハの字」状となるように構成しても良い。後者の場合、ローラスケート動作の安定性がさらに向上する。
【００２９】
図２は図１の実施形態のローラシューズにおけるローラ部分の一変更態様を示す底面図である。なお、本変更態様において、図示されていない部分の構成は、図１の実施形態の場合と同様である。従って、図１の実施形態の場合と同様の構成要素については同一の参照番号を使用する。
【００３０】
図２に示すように、例えば硬質プラスチック等の剛性の高い材料で一体成型されたローラ支持部材２４は、第１のローラ１５のホイール１５ａ、第２のローラ１６のホイール１６ａ及び第３のローラ１７のホイール１７ａを回転自在に受入れるくぼみ２４ａと、第１のローラ１５及び第２のローラ１６に共通の１本の回転軸２５の軸受け２４ｂ１と、第３のローラ１７の回転軸１７ｂの軸受け２４ｂ３とが形成されている。
【００３１】
図１の実施形態では、第１のローラ１５の回転軸１５ｂと第２のローラ１６の回転軸１６ｂとが別個の部材で構成されているが、本変更態様においては、第１のローラ１５及び第２のローラ１６が、共通の１本の回転軸２５を介して一体的に構成されている。
【００３２】
本変更態様におけるその他の構成、作用効果及び変形例は図１の実施形態の場合と同様である。
【００３３】
図３は図１の実施形態のローラシューズにおけるローラ部分の他の変更態様を示す分解斜視図である。なお、本変更態様において、図示されていない部分の構成は、図１の実施形態の場合と同様である。従って、図１の実施形態の場合と同様の構成要素については同一の参照番号を使用する。
【００３４】
図３に示すように、本変更態様において、支持部材は、例えば硬質プラスチック等の剛性の高い材料で一体成型されたローラ支持部材３４と、このローラ支持部材３４に形成されたくぼみ３４ａ１、３４ａ２及び３４ａ３内にそれぞれ嵌め込まれて固着された、例えば硬質プラスチック等の剛性の高い材料で一体成型された軸受け部材３５、３６及び３７とを備えている。これらくぼみ３４ａ１、３４ａ２及び３４ａ３に、軸受け部材３５、３６及び３７に回転軸１５ｂ、回転軸１６ｂ及び回転軸１７ｂが軸支された第１のローラ１５のホイール１５ａ、第２のローラ１６のホイール１６ａ及び第３のローラ１７のホイール１７ａが回転自在に配置されている。
【００３５】
第１のローラ１５、第２のローラ１６及び第３のローラ１７は着脱自在に取付けられている。ただし、図示されていないが、ローラ支持部材３４には、回転軸のロック機構が設けられている。このロック機構は、第１のローラ１５の回転軸１５ｂ、第２のローラ１６の回転軸１６ｂ及び第３のローラ１７の回転軸１７ｂを軸受け部材３５、３６及び３７にそれぞれ係合させた後、これら回転軸が外れないようにロックするためのものである。
【００３６】
本変更態様におけるその他の構成、作用効果及び変形例は図１の実施形態の場合と同様である。
【００３７】
図４は本発明のローラシューズの他の実施形態の構成を概略的に示す（Ａ）底面図及び（Ｂ）側面図である。本実施形態において、図１の実施形態の場合と同様の構成要素については同一の参照番号を使用する。
【００３８】
図４（Ａ）及び（Ｂ）に示すように、ローラシューズの底面は、大きく分けて、かかと部１０と、土踏まず部１１と、つま先部１２とから構成されている。
【００３９】
かかと部１０には、凹部１３が形成されており、この凹部１３内に例えば硬質プラスチック等の剛性の高い材料で一体成型されたローラ支持部材１４が嵌め込まれて固着されている。このローラ支持部材１４には、ホイールの外側部分が例えば軟質プラスチックやゴム等の弾性を有する材料で形成され回転軸を含むホイールの内側部分が例えば硬質プラスチック等の剛性を有する材料で形成された、第１のローラ４５、第２のローラ４６及び第３のローラ１７が着脱自在に取付けられている。ここで、第１のローラ４５及び第２のローラ４６は、このローラシューズの幅方向（横方向）に並列に配置されており、第３のローラ１７はこれら第１のローラ４５及び第２のローラ４６の前方に配置されている。このように、本実施形態では、前方に一輪の第３のローラ１７、後方に二輪の第１のローラ４５及び第２のローラ４６からなる三輪のローラが、全てかかと部１０に設けられている。なお、第１のローラ４５、第２のローラ４６及び第３のローラ１７の積層構造や構成材料は上述した例に限定されるものではない。
【００４０】
これら第１のローラ４５及び第２のローラ４６には、軸方向に沿った径のうち内側の径が外側の径より小さい円錐台形状を有するホイール４５ａ及び４６ａが設けられている。第１のローラ４５及び第２のローラ４６をこのような形状とすることにより、両ローラの間に小石が挟まってしまう不都合を防止できる。また、第３のローラ１７には、軸方向に沿った径が等しい円筒形状を有するホイール１７ａが設けられている。さらに、図４（Ｂ）からも分かるように、これら第１のローラ４５、第２のローラ４６及び第３のローラ１７は、ホイール４５ａ、４６ａ及び１７ａの一部が底面より突出するように構成されている。
【００４１】
ローラ支持部材１４は、第１のローラ４５のホイール４５ａを回転自在に受入れるくぼみ１４ａ１と、第１のローラ４５のこのホイール４５ａと一体的に形成された回転軸４５ｂの軸受け１４ｂ１と、第２のローラ４６のホイール４６ａを回転自在に受入れるくぼみ１４ａ２と、第２のローラ４６のこのホイール４６ａと一体的に形成された回転軸４６ｂの軸受け１４ｂ２と、第３のローラ１７のホイール１７ａを回転自在に受入れるくぼみ１４ａ３と、第３のローラ１７のこのホイール１７ａと一体的に形成された回転軸１７ｂの軸受け１４ｂ３とが形成されている。
【００４２】
なお、図示されていないが、ローラ支持部材１４には、回転軸のロック機構が設けられている。このロック機構は、第１のローラ４５の回転軸４５ｂ、第２のローラ４６の回転軸４６ｂ及び第３のローラ１７の回転軸１７ｂを軸受け１４ｂ１、軸受け１４ｂ２及び軸受け１４ｂ３にそれぞれ係合させた後、これら回転軸が外れないようにロックするためのものである。
【００４３】
軸受け１４ｂ１及び１４ｂ２は、本実施形態では、第１のローラ４５の回転軸４５ｂ及び第２のローラ４６の回転軸４６ｂが、従ってそれらの回転中心である軸線が、ローラシューズの幅方向に伸長し底面と平行な連続する単一の直線となるように配置されている。また、軸受け１４ｂ３は、第３のローラ１７の回転軸１７ｂが、従ってその回転中心である軸線が、ローラシューズの幅方向に伸長し回転軸４５ａ及び４６ａの軸線と平行な直線となるように配置されている。
【００４４】
なお、第１のローラ４５、第２のローラ４６及び第３のローラ１７の全てを取り外せば、通常のシューズとして使用でき、第３のローラ１７のみを取り外せば、二輪のローラシューズとして使用することができる。
【００４５】
このように本実施形態では、前方の第３のローラ１７、並びに後方の第１のローラ４５及び第２のローラ４６からなる三輪のローラが設けられているため、直進安定性に優れており、前後左右のバランスを容易に保つことができ、安定したローラスケート動作を行うことができる。即ち、フィギュアスケートの滑り感を得ることができ、バックヒーリング、ターンブレーキ、スラローム、ヒーリングスイッチ、片足走行、惰性走行、ハーフパイプ、ジャンプ等の技を容易に行うことが可能である。また、三輪ゆえに接地面積が大きく安定性がより向上するのみならず、本実施形態のように三輪のローラを別個に回転可能な構成とすれば、ローラスケート動作のコントロールがより簡単に行え、安全性が高くなる。
【００４６】
特に、これら三輪のローラがかかと部１０に設けられているため、ローラスケート動作時には、かかとに重心を集中させ、つま先を上げずにパラレルの状態でローラスケート動作が可能となる。従って、かかと部分や足首の部分に全身の力が集中するなどして無理な力が印加されることなく、長時間の使用に適している。しかも、容易にローラスケート動作に入ることができるので、かかと部分や足首の部分に傷害を与えることなく、初心者であってもローラスケート動作を極めて容易にかつ短時間で習得することができる。しかも、ローラがかかと部のみに設けられているため、つま先部で制動動作を容易に行うことができるから、安全である。また、本実施形態では、第１のローラ４５及び第２のローラ４６のホイール４５ａ及び４６ａの各々が内側の径が外側の径より小さい円錐台形状を有するように構成されているため、両ローラの間に小石が挟まってしまう不都合を防止できる。
【００４７】
なお、本実施形態では、第１のローラ４５の回転軸４５ｂ（その軸線）と第２のローラ４６の回転軸４６ｂ（その軸線）とが底面と平行な連続する単一の直線となるように構成されているが、これら回転軸４５ｂ及び４６ｂ（その軸線）を、それぞれ、ローラシューズの底面と非平行な互いに非連続の２つの直線となり、これら２つの直線のなす上側角が１８０°未満となるように構成しても、即ち、第１のローラ４５のホイール４５ａ及び第２のローラ４６のホイール４６ａが外側に傾いた「ハの字」状となるように構成しても良い。後者の場合、ローラスケート動作の安定性がさらに向上する。
【００４８】
図５は図４の実施形態のローラシューズにおけるローラ部分の一変更態様を示す底面図である。なお、本変更態様において、図示されていない部分の構成は、図４の実施形態の場合と同様である。従って、図４の実施形態の場合と同様の構成要素については同一の参照番号を使用する。
【００４９】
図５に示すように、例えば硬質プラスチック等の剛性の高い材料で一体成型されたローラ支持部材５４は、第１のローラ４５のホイール４５ａ、第２のローラ４６のホイール４６ａ及び第３のローラ１７のホイール１７ａを回転自在に受入れるくぼみ５４ａと、第１のローラ４５及び第２のローラ４６に共通の１本の回転軸５５の軸受け５４ｂ１と、第３のローラ１７の回転軸１７ｂの軸受け５４ｂ３とが形成されている。
【００５０】
図４の実施形態では、第１のローラ４５の回転軸４５ｂと第２のローラ４６の回転軸４６ｂとが別個の部材で構成されているが、本変更態様においては、第１のローラ４５及び第２のローラ４６が、共通の１本の回転軸５５を介して一体的に構成されている。
【００５１】
本変更態様におけるその他の構成、作用効果及び変形例は図４の実施形態の場合と同様である。
【００５２】
図６は本発明のローラシューズのさらに他の実施形態の構成を概略的に示す（Ａ）底面図及び（Ｂ）側面図である。本実施形態において、図１の実施形態の場合と同様の構成要素については同一の参照番号を使用する。
【００５３】
図６（Ａ）及び（Ｂ）に示すように、ローラシューズの底面は、大きく分けて、かかと部１０と、土踏まず部１１と、つま先部１２とから構成されている。
【００５４】
かかと部１０には、凹部６３が形成されており、この凹部６３内に例えば硬質プラスチック等の剛性の高い材料で一体成型されたローラ支持部材６４が嵌め込まれて固着されている。このローラ支持部材６４には、ホイールの外側部分が例えば軟質プラスチックやゴム等の弾性を有する材料で形成され回転軸を含むホイールの内側部分が例えば硬質プラスチック等の剛性を有する材料で形成された、第１のローラ６５、第２のローラ６６及び第３のローラ６７が着脱自在に取付けられている。ここで、第１のローラ６５及び第２のローラ６６は、このローラシューズの幅方向（横方向）に並列に配置されており、第３のローラ６７はこれら第１のローラ６５及び第２のローラ６６の後方に配置されている。このように、本実施形態では、前方に二輪の第１のローラ６５及び第２のローラ６６、後方に一輪の第３のローラ６７からなる三輪のローラが、全てかかと部１０に設けられている。なお、第１のローラ６５、第２のローラ６６及び第３のローラ６７の積層構造や構成材料は上述した例に限定されるものではない。
【００５５】
これら第１のローラ６５、第２のローラ６６及び第３のローラ６７には、軸方向に沿った径（内側の径と外側の径と）が等しい円筒形状を有するホイール６５ａ、６６ａ及び６７ａが設けられている。また、図６（Ｂ）からも分かるように、これら第１のローラ６５、第２のローラ６６及び第３のローラ６７は、そのホイール６５ａ、６６ａ及び６７ａの一部が底面より突出するように構成されている。
【００５６】
ローラ支持部材６４は、第１のローラ６５のホイール６５ａを回転自在に受入れるくぼみ６４ａ１と、第１のローラ６５のこのホイール６５ａと一体的に形成された回転軸６５ｂの軸受け６４ｂ１と、第２のローラ６６のホイール６６ａを回転自在に受入れるくぼみ６４ａ２と、第２のローラ６６のこのホイール６６ａと一体的に形成された回転軸６６ｂの軸受け６４ｂ２と、第３のローラ６７のホイール６７ａを回転自在に受入れるくぼみ６４ａ３と、第３のローラ６７のこのホイール６７ａと一体的に形成された回転軸６７ｂの軸受け６４ｂ３とが形成されている。
【００５７】
なお、図示されていないが、ローラ支持部材６４には、回転軸のロック機構が設けられている。このロック機構は、第１のローラ６５の回転軸６５ｂ、第２のローラ６６の回転軸６６ｂ及び第３のローラ６７の回転軸６７ｂを軸受け６４ｂ１、軸受け６４ｂ２及び軸受け６４ｂ３にそれぞれ係合させた後、これら回転軸が外れないようにロックするためのものである。
【００５８】
軸受け６４ｂ１及び６４ｂ２は、本実施形態では、第１のローラ６５の回転軸６５ｂ及び第２のローラ６６の回転軸６６ｂが、従ってそれらの回転中心である軸線が、ローラシューズの幅方向に伸長し底面と平行な連続する単一の直線となるように配置されている。即ち、第１のローラ６５のホイール６５ａ及び第２のローラ６６のホイール６６ａの接地面が底面と平行となるように構成されている。また、軸受け６４ｂ３は、第３のローラ６７の回転軸６７ｂが、従ってその回転中心である軸線が、ローラシューズの幅方向に伸長し回転軸６５ａ及び６６ａの軸線と平行な直線となるように配置されている。
【００５９】
なお、第１のローラ６５、第２のローラ６６及び第３のローラ６７の全てを取り外せば、通常のシューズとして使用でき、第３のローラ６７のみを取り外せば、二輪のローラシューズとして使用することができる。
【００６０】
このように本実施形態では、前方の第１のローラ６５及び第２のローラ６６、並びに後方の第３のローラ６７からなる三輪のローラが設けられているため、直進安定性に優れており、前後左右のバランスを容易に保つことができ、安定したローラスケート動作を行うことができる。即ち、フィギュアスケートの滑り感を得ることができ、バックヒーリング、ターンブレーキ、スラローム、ヒーリングスイッチ、片足走行、惰性走行、ハーフパイプ、ジャンプ等の技を容易に行うことが可能である。また、三輪ゆえに接地面積が大きく安定性がより向上するのみならず、本実施形態のように三輪のローラを別個に回転可能な構成とすれば、ローラスケート動作のコントロールがより簡単に行え、安全性が高くなる。
【００６１】
特に、これら三輪のローラがかかと部１０に設けられているため、ローラスケート動作時には、かかとに重心を集中させ、つま先を上げずにパラレルの状態でローラスケート動作が可能となる。従って、かかと部分や足首の部分に全身の力が集中するなどして無理な力が印加されることなく、長時間の使用に適している。しかも、容易にローラスケート動作に入ることができるので、かかと部分や足首の部分に傷害を与えることなく、初心者であってもローラスケート動作を極めて容易にかつ短時間で習得することができる。しかも、ローラがかかと部のみに設けられているため、つま先部で制動動作を容易に行うことができるから、安全である。
【００６２】
なお、本実施形態では、第１のローラ６５の回転軸６５ｂ（その軸線）と第２のローラ６６の回転軸６６ｂ（その軸線）とが底面と平行な連続する単一の直線となるように構成されているが、これら回転軸６５ｂ及び６６ｂ（その軸線）を、それぞれ、ローラシューズの底面と非平行な互いに非連続の２つの直線となり、これら２つの直線のなす上側角が１８０°未満となるように構成しても、即ち、第１のローラ６５のホイール６５ａ及び第２のローラ６６のホイール６６ａの接地面が底面と平行ではなく外側に傾いた「ハの字」状となるように構成しても良い。後者の場合、ローラスケート動作の安定性がさらに向上する。
【００６３】
さらに、本実施形態においても、図２及び図３に示すごとき変更態様を適用することが可能であり、さらに、第１のローラ６５のホイール６５ａ及び第２のローラ６６のホイール６６ａとして、図４に示すごとき形状のホイールを使用することも可能である。
【００６４】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００６５】
１０  かかと部
１１  土踏まず部
１２  つま先部
１３、６３  凹部
１４、２４、３４、５４、６４  ローラ支持部材
１４ａ１、１４ａ２、１４ａ３、２４ａ、３４ａ１、３４ａ２、３４ａ３、６４ａ１、６４ａ２、６４ａ３  くぼみ
１４ｂ１、１４ｂ２、１４ｂ３、２４ｂ１、２４ｂ３、５４ｂ１、５４ｂ３、６４ｂ１、６４ｂ２、６４ｂ３  軸受け
１５、４５、６５  第１のローラ
１５ａ、１６ａ、１７ａ、４５ａ、４６ａ、６５ａ、６６ａ、６７ａ  ホイール
１５ｂ、１６ｂ、１７ｂ、２５、４５ｂ、４６ｂ、５５、６５ｂ、６６ｂ、６７ｂ  回転軸
１６、４６、６６  第２のローラ
１７、４７、６７  第３のローラ
３５、３６、３７  軸受け部材
【図１】
2011234983.tif 000003
【図２】
2011234983.tif 000004
【図３】
2011234983.tif 000005
【図４】
2011234983.tif 000006
【図５】
2011234983.tif 000007
【図６】
2011234983.tif 000008